(57)【要約】【課題】両端子金具を円滑に接続する。【解決手段】雌コネクタＦは、雌端子金具１０と、雌端子金具１０を収容可能な複数の雌サブハウジング２０と、雌サブハウジング２０を収容可能な雌フレーム３０とから構成される。雄コネクタＭは、タブ４１を備えた雄端子金具４０と、雄端子金具４０を収容可能な複数の雄サブハウジング５０と、雄サブハウジング５０を収容可能とされ且つ雌コネクタＦを嵌合可能なフード部６１を備えた雄フレーム６０とから構成される。フード部６１内には、タブ４１を挿通して位置決め可能な位置決め孔７３を備えたムービングプレート７０が後退可能に装着される。ムービングプレート７０には、位置決め凸部８０が設けられ、雌サブハウジング２０には、位置決め凸部８０を嵌合可能な位置決め凹部８１が設けられることで、互いを位置決め可能とされる。【選択図】  図４
2004355969.tif 000002
【特許請求の範囲】
【請求項１】
互いに嵌合可能な一対の雄雌のコネクタのうち、
雌コネクタは、雌端子金具と、雌端子金具を収容可能な複数のサブハウジングと、各サブハウジングを収容可能なフレームとから構成されるのに対し、
雄コネクタは、タブを備えた雄端子金具と、前記雌コネクタを嵌合可能なフード部を備えるとともにこのフード部内に前記タブを突き出した状態で前記雄端子金具を収容可能なコネクタハウジングと、前記タブを挿通して位置決め可能な位置決め孔を備えるとともに前記フード部内に後退可能に装着され且つ嵌合時に前記コネクタハウジングと前記雌コネクタとの間に挟まれるムービングプレートとから構成されており、
前記ムービングプレートと前記サブハウジングとには、互いに凹凸嵌合することで互いを位置決め可能な位置決め手段が設けられていることを特徴とするコネクタ。
【請求項２】
前記位置決め手段は、前記ムービングプレートに設けられた位置決め凸部と、前記サブハウジングに設けられるとともに前記位置決め凸部が嵌合可能な位置決め凹部とから構成されていることを特徴とする請求項１記載のコネクタ。
【発明の詳細な説明】
【０００１】
【発明の属する技術分野】
本発明は、コネクタに関する。
【０００２】
【従来の技術】
従来、複数のサブハウジングをフレームに組み付けてなる分割コネクタの一例として下記特許文献１に記載されたものが知られている。このうち、雌側の分割コネクタは、雌端子金具が挿入された複数の雌サブハウジングを雌フレームに組み付けた構成とされており、同様にして組み付けられた雄側の分割コネクタと嵌合可能とされる。雄フレームには、雌側の分割コネクタを内嵌可能なフード部が設けられており、このフード部内には、雄端子金具のタブが突き出した状態で配されている。
【０００３】
【特許文献１】
特開平９−２１９２３８号公報
【０００４】
【発明が解決しようとする課題】
上記した雄側の分割コネクタでは、タブがフード部内において長く突出していることから、先端側では僅かながらも位置ずれが生じることが懸念される。そこで、タブの位置ずれを防止するには、ムービングプレートをフード部内に装着することが考えられる。このムービングプレートは、タブを挿通することでその位置決めが可能な位置決め孔を備えており、嵌合時には雌側の分割コネクタによって押圧されることでフード部内を後退できるようになっている。
しかしながら、雌側の分割コネクタにおいて、雌サブハウジングと雌フレームとの間でがたつきが生じた場合には、タブがムービングプレートによって位置決めされていても、そのタブに対して雌端子金具が位置ずれすることになるため、両端子金具のアライメントに狂いが生じてしまい、タブが雌端子金具内に円滑に挿入されなくなるおそれがあった。
本発明は上記のような事情に基づいて完成されたものであって、両端子金具を円滑に接続することを目的とする。
【０００５】
【課題を解決するための手段】
上記の目的を達成するための手段として、請求項１の発明は、互いに嵌合可能な一対の雄雌のコネクタのうち、雌コネクタは、雌端子金具と、雌端子金具を収容可能な複数のサブハウジングと、各サブハウジングを収容可能なフレームとから構成されるのに対し、雄コネクタは、タブを備えた雄端子金具と、前記雌コネクタを嵌合可能なフード部を備えるとともにこのフード部内に前記タブを突き出した状態で前記雄端子金具を収容可能なコネクタハウジングと、前記タブを挿通して位置決め可能な位置決め孔を備えるとともに前記フード部内に後退可能に装着され且つ嵌合時に前記コネクタハウジングと前記雌コネクタとの間に挟まれるムービングプレートとから構成されており、前記ムービングプレートと前記サブハウジングとには、互いに凹凸嵌合することで互いを位置決め可能な位置決め手段が設けられている構成としたところに特徴を有する。
【０００６】
請求項２の発明は、請求項１に記載のものにおいて、前記位置決め手段は、前記ムービングプレートに設けられた位置決め凸部と、前記サブハウジングに設けられるとともに前記位置決め凸部が嵌合可能な位置決め凹部とから構成されているところに特徴を有する。
【０００７】
【発明の作用及び効果】
＜請求項１の発明＞
雄端子金具のタブがムービングプレートの位置決め孔に挿通されることで、タブの位置決めが図られる。フード部内に雌コネクタを嵌合すると、ムービングプレートとサブハウジングに設けられた位置決め手段が互いに凹凸嵌合することで、サブハウジングがムービングプレートに対して位置決めされる。従って、雌コネクタにおいてサブハウジングとフレームとの間にがたつきが生じていたとしても、位置決め手段によってサブハウジングとムービングプレート、すなわち雌端子金具とタブを位置決めすることができるから、嵌合に伴って両端子金具を円滑に接続することができる。
【０００８】
＜請求項２の発明＞
ムービングプレート側に位置決め凸部を設けるようにしたから、嵌合前の段階において位置決め凸部をフード部によって保護することができる。
【０００９】
【発明の実施の形態】
本発明の一実施形態を図１ないし図５によって説明する。この実施形態では、互いに嵌合可能な雄雌のコネクタが共に分割コネクタとされたものを示す。なお、以下では両コネクタＦ，Ｍにおける嵌合面側を前方として説明する。
【００１０】
先に雌コネクタＦについて説明する。雌コネクタＦは、図１及び図３に示すように、大まかには電線Ｗの端末に接続された雌端子金具１０と、雌端子金具１０を収容可能な複数（８個）の雌サブハウジング２０と、各雌サブハウジング２０を収容可能な雌フレーム３０とから構成されている。
【００１１】
雌端子金具１０は、金属板をプレス成形することで所定形状に形成されており、略角筒状をなす本体部１１と、電線Ｗの端末に圧着接続されるバレル部１２とを前後に繋げた構成とされる。本体部１１の図示上面には、ランス２２が進入可能な凹部１３が形成され、その前縁にランス２２の内側部分が係止可能とされる。凹部１３の前縁には、ランス２２の外側部分が係止可能な係止突部１４が外方へ叩き出して形成されている。本体部１１の後端部に形成された段差部分は、リテーナ２６が係止される係止段部１５とされている。この係止段部１５には、上記係止突部１４とほぼ同じ高さまで突出するとともにリテーナ２６が係止可能な突部１６が叩き出して形成されている。なお本体部１１内には、雄端子金具４０のタブ４１が弾性接触可能とされる弾性接触片（図示せず）が備えられている。
またバレル部１２は、それぞれ電線Ｗの芯線と被覆とにかしめ付けられるかしめ片を前後に一対ずつ備えている。
【００１２】
雌サブハウジング２０は、合成樹脂製とされ、前後に細長い略ブロック状に形成されるとともにその内部には、後方から雌端子金具１０を挿入可能なキャビティ２１が前後に開口した形態で設けられている。キャビティ２１は、幅方向に４つ並んで設けられるとともに、その前部内面からは片持ち状のランス２２が設けられている。ランス２２は、弾性変形可能とされ、キャビティ２１内に正規深さまで挿入された雌端子金具１０の凹部１３の前縁や係止突部１４に係止可能とされている。キャビティ２１の前壁には、前方からタブ４１がキャビティ２１内に進入するのを許容するタブ挿通孔２３が開設され、その孔縁前部には、タブ４１を誘い込むための誘い込みテーパ面２３ａが周設されている。雌サブハウジング２０のうちランス２２の後方位置には、側方へ開口する開口部２４が設けられており、この開口部２４の後縁には、リテーナ２６がヒンジ２５を介して連結されている。
【００１３】
リテーナ２６は、ヒンジ２５を支点として回動変位可能とされており、開口部２４を開閉可能とされる。リテーナ２６の内面には、キャビティ２１内に突出して雌端子金具１０の係止段部１５や突部１６に係止することで、上記したランス２２と共に雌端子金具１０を後方へ抜け止め状態に保持可能な端子用係止部２７が設けられている。リテーナ２６の外面には、雌サブハウジング２０の後部外面からさらに外方へ突出するとともに、雌フレーム３０に対して係止可能なフレーム用係止部２８が設けられている。またリテーナ２６のうち端子用係止部２７の前側には、開口部２４の前縁部内縁に係止することでリテーナ２６を閉止状態に保持可能なリテーナ保持部２９が設けられている。
【００１４】
雌フレーム３０は、合成樹脂製とされ、全体が略格子状に形成されており、後方から雌サブハウジング２０を挿入可能な収容室３１が設けられている。収容室３１は、高さ方向に２つ、幅方向に４つ並んで設けられている。各収容室３１におけるリテーナ２６に対応する側の外壁には、開口部３２が設けられており、その後縁には、片持ち状の弾性片３３が設けられている。弾性片３３は、高さ方向に沿って弾性変形可能とされ、その先端部内面には、正規深さまで挿入された雌サブハウジング２０におけるフレーム用係止部２８の後面に対して係止可能な保持部３３ａが内方へ突出して設けられている。開口部３２の前縁には、正規深さに達した雌サブハウジング２０におけるフレーム用係止部２８の前面が突き当たることで前止まり可能とされる。雌フレーム３０における弾性片３３を設けた外壁には、弾性片３３を型抜きするための切欠部３４が前方へ開口して形成されている。このうち図１に示す左から２番目の切欠部３４には、嵌合時に雄コネクタＭ側のリブ６８を受け入れ可能な溝部３５がそれぞれ連通して設けられている。
また雌フレーム３０の上面幅方向略中央には、ロックアーム３６が突設されている。
【００１５】
次に雄コネクタＭについて説明する。雄コネクタＭは、図２及び図３に示すように、大まかには電線Ｗの端末に接続された雄端子金具４０と、雄端子金具４０を収容可能な複数（８個）の雄サブハウジング５０と、各雄サブハウジング５０を収容可能な雄フレーム６０と、雄フレーム６０に装着されるムービングプレート７０とから構成されている。
【００１６】
雄端子金具４０は、金属板をプレス成形することで所定形状に形成されており、前側から順に雌端子金具１０と導通接触可能なタブ４１と、略箱型をなす本体部４２と、電線Ｗの端末に圧着接続されるバレル部４３とから構成されている。
タブ４１は、本体部４２の前縁から延設された前後に細長い板片を長さ方向に沿って密着曲げすることで形成されている。なお本体部４２には、凹部４４、係止突部４５、係止段部４６及び突部４７が設けられているが、その形状や機能などについては、既述した雌端子金具１０のものとほぼ同様であるので詳しい説明は割愛する。
【００１７】
雄サブハウジング５０は、合成樹脂製とされ、前後に細長い略ブロック状に形成されており、その内部には雌コネクタＦ側と対応する位置に４つのキャビティ５１が幅方向に並んで配設されている。このキャビティ５１内に雄端子金具４０が正規深さまで挿入されると、タブ４１が雄サブハウジング５０から前方へ突出するようになっている。なお雄サブハウジング５０には、ランス５２、開口部５３、リテーナ５５（ヒンジ５４を含む）、端子用係止部５６、フレーム用係止部５７、及びリテーナ保持部５８が設けられているが、その形状や機能などについては、既述した雌サブハウジング２０のものとほぼ同様であるので詳しい説明は割愛する。
【００１８】
雄フレーム６０は、合成樹脂製とされ、略角筒状に形成されたフード部６１と、略格子状に形成されたフレーム本体６２とを前後に繋げた構成とされている。
フレーム本体６２には、後方から雄サブハウジング５０を挿入可能な収容室６３が設けられている。収容室６３は、高さ方向に２つ、幅方向に４つ並んで設けられている。フレーム本体６２には、開口部６４、弾性片６５、保持部６５ａ、及び切欠部６６が設けられているが、その形状や機能などについては、既述した雌フレーム３０のものとほぼ同様であるので詳しい説明は割愛する。
【００１９】
雄サブハウジング５０を収容した状態では、雄端子金具４０のタブ４１がフレーム本体６２の前端面（フード部６１の奥端面）からフード部６１内に突き出した状態で配される。そして、このフード部６１内には、前方から次述するムービングプレート７０が装着可能とされるとともに、雌コネクタＦが嵌合可能とされている。フード部６１の上面幅方向略中央には、雌コネクタＦのロックアーム３６が係止することで、両コネクタＦ，Ｍを嵌合状態に保持可能なロック部６７が設けられている。またフード部６１の内面のうち、ロック部６７に対して図２の右側方位置と下方位置には、それぞれリブ６８が突設されており、このリブ６８は、装着されるムービングプレート７０のリブ用逃がし溝７６内や、雌コネクタＦの溝部３５内に進入可能とされている。従って、ムービングプレート７０や雌コネクタＦを正規の姿勢とは反転した姿勢で装着または嵌合しようとした場合には、リブ６８がムービングプレート７０や雌コネクタＦの端部に突き当たってその装着または嵌合を規制できるようになっている。フード部６１の内面のうち、上側のリブ６８に対して図２の右側方位置と、下側のリブ６８に対して同図左側方位置には、ムービングプレート７０を保持するための保持突部６９が内方へ突出して設けられている。
【００２０】
ムービングプレート７０は、合成樹脂製とされ、大まかにはフード部６１内に装着された状態でフード部６１の奥端面に対向する基板７１と、基板７１の周縁から前方へ突出するとともにフード部６１の内周面に対向する側板７２とから構成され、全体として略有底角筒型をなしている。基板７１には、フード部６１内に突き出した各雄端子金具４０のタブ４１を挿通可能な位置決め孔７３が各タブ４１に対応する位置に貫通して形成されている。位置決め孔７３は、各雄サブハウジング５０毎に４個ずつ幅方向に並んで配され、計３２個設けられている。各位置決め孔７３の後側孔縁には、タブ４１を誘い込むためのテーパ面７３ａが周設されている。側板７２は、基板７１における正面から見た四隅部分やロック部６７に対応する部分を除いた位置に設けられており、その内側に雌コネクタＦが嵌合可能とされる。側板７２の前端部内縁には、雌コネクタＦを誘い込むための誘い込みテーパ面７２ａが設けられている。
【００２１】
ムービングプレート７０がフード部６１内における所定の位置、詳しくは基板７１がフード部６１の奥端面からタブ４１の長さ寸法よりも少し短い程度の距離だけ離間した位置に配された状態では、図３に示すように、各位置決め孔７３には、各タブ４１の先端部が挿入されてその先端が僅かに基板７１の前面から突出する。このときのムービングプレート７０の装着位置が初期位置とされ、この初期位置では、雄サブハウジング５０に対して雄端子金具４０が高さ方向や幅方向（嵌合方向と交差する方向）にがたついたり、また雄フレーム６０に対して雄サブハウジング５０が高さ方向や幅方向にがたついた場合でも、常にタブ４１の先端部を所定位置に保つことが可能とされる。ムービングプレート７０は、この初期位置から基板７１が雌コネクタＦによって押圧されることで、嵌合方向に沿って後退されるようになっている。この過程では、側板７２がフード部６１の内周面に摺接することで、後退動作を案内可能とされる。雌コネクタＦが正規深さまで嵌合すると、ムービングプレート７０は、基板７１の後面がフード部６１の奥端面に当接する位置に達し、このときの位置が嵌合位置とされる（図５）。このとき、基板７１がフレーム本体６２の前面と雌コネクタＦの前面との間に、側板７２がフード部６１の内周面と雌コネクタＦの外周面との間に挟まれた状態とされ、また各位置決め孔７３には各タブ４１の根元部分が通された状態となる。
【００２２】
ムービングプレート７０のうちフード部６１の保持突部６９に対応する位置には、保持突部６９を逃がすための保持突部用逃がし溝７４が２つ、前後に開口して設けられている。基板７１の後面からは、高さ方向に沿って弾性変形可能な弾性保持片７５が２本、後方へ突出して設けられており、その先端部外面には、保持突部６９に対して係止可能な鉤部７５ａが突出して設けられている。この鉤部７５ａは、ムービングプレート７０が初期位置に装着されたときに保持突部６９の後面に係止されるようになっており、これによりムービングプレート７０を初期位置から前方へ抜け止め保持可能とされる。またムービングプレート７０のうちフード部６１内のリブ６８に対応する位置には、リブ６８を逃がすためのリブ用逃がし溝７６が２つ設けられている。なお、ムービングプレート７０は、図示しない仮保持手段によって、後方へ所定以上の操作力で押圧されない限りは初期位置に仮保持可能とされる。
【００２３】
さて、上記したムービングプレート７０と雌サブハウジング２０とには、互いに凹凸嵌合することでムービングプレート７０に対して雌サブハウジング２０を位置決め可能な位置決め手段が設けられている。位置決め手段は、ムービングプレート７０側に設けられた位置決め凸部８０と、雌サブハウジング２０側に設けられるとともに位置決め凸部８０が嵌合可能な位置決め凹部８１とから構成されている。詳しくは、位置決め凸部８０は、図２及び図３に示すように、ムービングプレート７０の前面のうち、４個ずつ並んだ各位置決め孔７３群の上下位置から一対ずつ前方へ突出して設けられており、計１６個設けられている。各位置決め凸部８０は、上面と下面とがほぼ同じ勾配の傾斜面となった山形に形成されており、その頂点部（前端部）が初期位置においてタブ４１の先端よりも僅かに前方へ突出するような突出寸法に設定されている。位置決め孔７３を挟んだ上下の位置決め凸部８０における頂点部間の間隔は、雌サブハウジング２０の前端部における高さ寸法とほぼ等しく設定されている。また位置決め凸部８０は、その幅寸法が雌サブハウジング２０の外幅寸法よりも小さく設定されている。
【００２４】
位置決め凹部８１は、図１及び図３に示すように、雌サブハウジング２０における前端部上縁及び下縁の角部分をそれぞれ切除して形成されている。位置決め凹部８１は、雌サブハウジング２０の全幅にわたって形成されるとともに位置決め凸部８０の内側半分を受け入れ可能とされる。雌フレーム３０のうち位置決め凹部８１に隣り合う部分、すなわち収容室３１の前端部上縁及び下縁には、位置決め凸部８０の外側部分を受け入れ可能とされる逃がし凹部８２が設けられている。位置決め凹部８１と逃がし凹部８２における対向面は、共にほぼ同じ勾配の傾斜面とされ、その勾配は、位置決め凸部８０側の傾斜面と整合するよう設定されている。従って、両コネクタＦ，Ｍの嵌合時には、位置決め凸部８０が位置決め凹部８１と逃がし凹部８２との双方に嵌合されるようになっている。このとき、位置決め孔７３を挟んだ上下の位置決め凸部８０によって雌サブハウジング２０の前端部が挟み込まれることで、雌サブハウジング２０は、ムービングプレート７０に対して高さ方向について位置決めされるようになっている（図４）。
【００２５】
本実施形態は以上のような構造であり、続いてその作用について説明する。まず、雄雌のコネクタをそれぞれ組み付ける作業を行う。雌コネクタＦについては、雌サブハウジング２０の各キャビティ２１内に各雌端子金具１０を挿入したらリテーナ２６を閉止し、その雌サブハウジング２０を雌フレーム３０の収容室３１内に収容する。一方、雄コネクタＭについては、雄サブハウジング５０の各キャビティ５１内に各雄端子金具４０を挿入したらリテーナ５５を閉止し、その雄サブハウジング５０を雄フレーム６０の収容室６３内に収容するとともに、フード部６１内にムービングプレート７０を初期位置に装着する。雄コネクタＭでは、各タブ４１の先端部が各位置決め孔７３内に挿通されて嵌合方向と交差する方向についての位置決めが図られる。
【００２６】
続いて、図３に示す状態から両コネクタＦ，Ｍを嵌合する作業を行う。雌コネクタＦをフード部６１内に嵌合すると、ムービングプレート７０の誘い込みテーパ面７２ａによって雌コネクタＦが側板７２の内側へと誘い込まれる。雌コネクタＦが所定深さに達すると、図４に示すように、その前面が基板７１の前面に当接する。この時点では、タブ４１は、タブ挿通孔２３に僅かに進入した状態とされ、未だキャビティ２１内には進入しておらず、雌端子金具１０とは非接触とされている。このとき、位置決め凸部８０が対応する位置決め凹部８１及び逃がし凹部８２内に嵌合することで、雌サブハウジング２０の前端部が位置決め凸部８０によって上下から挟み込まれる。従って、成形誤差などの理由によって仮に雌フレーム３０と雌サブハウジング２０との間に高さ方向についてがたつきが生じていたとしても、雌サブハウジング２０をムービングプレート７０に対して高さ方向について所定の位置に位置決めすることができる。これにより、タブ４１と雌サブハウジング２０内に収容した雌端子金具１０とを高さ方向について位置決めされるので、その後嵌合が進行するのに伴ってタブ４１が本体部１１内に進入する動作が誘い込みテーパ面２３ａとも相まって円滑に行われ、タブ４１が内部の弾性接触片と弾性接触される。
【００２７】
雌コネクタＦがムービングプレート７０の基板７１に当接した状態から嵌合が進行すると、基板７１が雌コネクタＦによって後方へ押し込まれることで、ムービングプレート７０が雌コネクタＦに連動して後退する。そして、雌コネクタＦが正規嵌合されると、図５に示すように、タブ４１が本体部１１内に正規深さまで挿入されて接続がとられるとともに、ロックアーム３６がロック部６７に係止することで両コネクタＦ，Ｍが正規嵌合状態に保持される。このとき、ムービングプレート７０は、基板７１の後面がフード部６１の奥端面に当接する位置に達して雄フレーム６０と雌コネクタＦとの間に挟まれるとともに、タブ４１の根元部分が位置決め孔７３内に配される。
【００２８】
以上説明したように本実施形態によれば、ムービングプレート７０と雌サブハウジング２０とに位置決め凸部８０と位置決め凹部８１とをそれぞれ設け、タブ４１が雌端子金具１０に接触する前の段階で、位置決め凹部８１に位置決め凸部８０を嵌合させることで雌サブハウジング２０をムービングプレート７０に対して位置決めするようにしたから、仮に雌サブハウジング２０と雌フレーム３０との間にがたつきが生じていたとしても、タブ４１と雌サブハウジング２０とが共にムービングプレート７０に対して位置決めされているので、タブ４１を雌端子金具１０に対して円滑に接続することができる。
またムービングプレート７０側に位置決め凸部８０が設けられているから、嵌合前の段階においてフード部６１内に位置決め凸部８０を収容することができ、位置決め凸部８０を保護することができる。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、位置決め凸部が位置決め凹部よりも大きく互いが整合しないものを示したが、位置決め凸部の外側部分を切除して互いが整合する形状とすることもできる。そのとき、雌フレームの逃がし凹部を省略してもよい。また位置決め凸部や位置決め凹部の形状・数についてはその他にも任意に設定可能である。
【００３０】
（２）上記した実施形態では、位置決め凸部及び位置決め凹部によって高さ方向について雌サブハウジングを位置決めしたものを示したが、例えば雌サブハウジングの幅方向両側縁に位置決め凹部を設け、その位置決め凹部に嵌合可能な位置決め凸部をムービングプレート側に設けることで、雌サブハウジングを幅方向についても位置決めするようにしたものも本発明に含まれる。
（３）上記した実施形態以外にも、ムービングプレート側に位置決め凹部を設け、雌サブハウジング側に位置決め凸部を設けるようにしたものも本発明に含まれる。
（４）上記した実施形態では、雄コネクタとして、コネクタハウジングが雄フレームと雄サブハウジングとから構成される分割コネクタを例示したが、雄コネクタが通常のコネクタ、すなわちコネクタハウジングとその内部に収容される雄端子金具とから構成されるものも本発明に含まれる。
【図面の簡単な説明】
【図１】本発明の一実施形態に係る雌コネクタの正面図
【図２】雄コネクタの正面図
【図３】両コネクタを嵌合する前の状態を示す側断面図
【図４】両コネクタの嵌合過程で位置決め凸部が位置決め凹部に嵌合した状態を示す側断面図
【図５】両コネクタが正規嵌合した状態を示す側断面図
【符号の説明】
１０…雌端子金具
２０…雌サブハウジング（サブハウジング）
３０…雌フレーム（フレーム）
４０…雄端子金具
４１…タブ
５０…雄サブハウジング（コネクタハウジング）
６０…雄フレーム（コネクタハウジング）
６１…フード部
７０…ムービングプレート
７３…位置決め孔
８０…位置決め凸部（位置決め手段）
８１…位置決め凹部（位置決め手段）
Ｆ…雌コネクタ
Ｍ…雄コネクタ
【図１】
2004355969.tif 000003
【図２】
2004355969.tif 000004
【図３】
2004355969.tif 000005
【図４】
2004355969.tif 000006
【図５】
2004355969.tif 000007